(57)【要約】【課題】一日の内のいくつもの行動時間を設定して、音声再生し、多目的に使用し、使用者の時間管理をサポートする多目的時間通知時計を提供する。      【解決手段】多目的時間通知時計は、マイクロプロセッサー制御ユニット、多段設定盤、多コードユニット、音声ユニット、時間指標ユニット、電源供給ユニット及び上透明カバー、底台を含む。一日の内の異なる行動目的に対して、多コードユニットで異なる編集コードを設定し、その全てを一日の設定したい時刻に設定する。設定した時刻になると、マイクロプロセッサー制御ユニットは編集コードに基づき、行動目的の音声標示を再生し、使用者の確認ボタンによって、再生を停止し、停止されない時には指示灯が点滅する。【選択図】図１
0003115448.tif 000002
【実用新案登録請求の範囲】
【請求項１】
中央処理装置(ＣＰＵ)、メモリー及び外付け差込メモリーのアダプタを含むマイクロプロセッサー制御ユニットと、
拡声器及び外付け拡声器のアダプタを含む音声ユニットと、
マイクロプロセッサー制御ユニットと連接する時計本体、時間指示針及び時計の針と連動する信号選択片を含む時間指標ユニットと、
リード線とマイクロプロセッサー制御ユニットが連接し、電池による直流電源もしくは整流の交流電源を含む電源供給ユニットと、
電源出力アダプタと底台を含む多目的時間通知時計において、
多段設定盤及び多コードユニットを含み、
その多段設定盤は時刻標示板、その時刻表示板上の槽、底シートＰＣＢ板及びマイクロプロセッサー制御ユニットと連接する信号アダプタを含み、
多コードユニットは、固定装置、信号アダプタ、多コードユニット上方の標示板、データ一時保存緩衝区、多コードユニット上方の指示灯及びそれから構成される電子回路と部品を含み、
その多コードユニットは固定装置によって多段設定盤の槽上に固定し、その信号アダプタと槽上のアダプタを密接に連接することを特徴とする多目的時間通知時計。
【請求項２】
前記多コードユニットは、指撥スイッチによって異なる目的に基づき、異なる編集コードを設定することを特徴とする請求項１記載の多目的時間通知時計。
【請求項３】
前記マイクロプロセッサー制御ユニットは、その内接メモリー中に処理プログラム及び多コードユニットが設定した編集コードに代表される全ての音声ファイルが保存されることを特徴とする請求項１記載の多目的時間通知時計。
【請求項４】
前記マイクロプロセッサー制御ユニットは、外付け差込アダプタを内部メモリーに接続し、そのメモリーには個人の収録もしくは多コードユニットが設定した編集コードに代表する音声文書が保存されることを特徴とする請求項１記載の多目的時間通知時計。
【請求項５】
前記音声ユニットは、各々ひとつの編集コードに代表されることを特徴とする請求項３もしくは４記載の多目的時間通知時計。
【請求項６】
前記マイクロプロセッサー制御ユニットは、読取編集コードを先ず外付けメモリーから優先し、代表する編集コードの音声ファイルを探し、外付けメモリーにない場合、次に内部メモリーの編集コードに代表する音声ファイルを探し、音声ユニットが行動目的の音声標示を再生することを特徴とする請求項１記載の多目的時間通知時計。
【請求項７】
前記多段設定盤の複数の槽は、等角度方式で平均して設置されることを特徴とする請求項１記載の多目的時間通知時計。
【請求項８】
前記槽は、一日の各設定時刻に対応し、一日の各設定時刻には全て槽があることを特徴とする請求項７記載の多目的時間通知時計。
【請求項９】
前記多目的時間通知時計は、自動ダイヤルシステムを設置することによって、電話に連接し、外付けファイルが提供する音声電話を再生することを特徴とする請求項１記載の多目的時間通知時計。
【考案の詳細な説明】
【技術分野】
【０００１】
本考案は、多目的時間通知時計に関するもので、一日の内のいくつもの行動時間を設定して、音声再生し、多目的に使用し、使用者の時間管理をサポートするものである。
【背景技術】
【０００２】
今日の多目的時間通知時計は、時計の針と共に歯車が回り、ひとつの設定点を設置することにより、機械が駆動してベルもしくは電子音から構成された音楽がなり、目覚しの役を果たす。他に掛合凸式多段時間計測器があり、多孔を設置した円盤上に掛合凸を設置することによって、多孔を設置した円盤が時計に代わって回転し、掛合凸が内部に設置した機械スイッチが始動するもので、長時間の単一特殊動作、例として電気製品のスイッチもしくは魚餌やり器等に応用される。この他、下述の電子多目的時間通知時計は、ＰＣの出力によって、無限に録音して自分の好きな音声を再生することができる。しかし、単一設定時間になった時だけ好きな音が流れる。
【特許文献１】台湾  実用新案登録第１６６４５１号  “デジタル式無限数重複録音可能な時間通知装置”
【考案の開示】
【考案が解決しようとする課題】
【０００３】
解決しようとする問題点は、単一設定時間しかないため、複数の設定ができず、多目的に使用できない点である。
【課題を解決するための手段】
【０００４】
本考案は、マイクロプロセッサー制御ユニット、多段設定盤、多コードユニット、音声ユニット、時間指標ユニット、電源供給ユニット及び上透明カバー、底台を含む。一日の内の異なる行動目的に対して、多コードユニットで異なる編集コードを設定し、その全てを一日の設定したい時刻に設定する。設定した時刻になると、マイクロプロセッサー制御ユニットは編集コードに基づき、行動目的の音声標示を再生し、使用者の確認ボタンによって、再生を停止し、停止されない時には指示灯が点滅することを最も主要な特徴とする。
【考案の効果】
【０００５】
本考案の多目的時間通知時計は、一日の内のいくつもの行動時間を設定して、音声再生し、多目的に使用し、使用者の時間管理をサポートするという利点がある。
【考案を実施するための最良の形態】
【０００６】
図１に示すとおり、マイクロプロセッサー制御ユニット１、多段設定盤２、もしくは複数個の多コードユニット３、音声ユニット４、時間指標ユニット５、電源供給ユニット６及び上透明カバー７及び底台から構成される。
【０００７】
マイクロプロセッサー制御ユニット１は、中央処理装置（ＣＰＵ）、メモリー、外付差込メモリーのアダプタ１１、多段設定盤２連接のアダプタ１２、多コードユニット３テスト用のアダプタ１３、音声ユニット４連接のアダプタ１４、確認ボタン１５及びその他電子回路と部品を含む。このメモリーには処理プログラム及び多コードユニット３が設定した編集コードが代表する全ての音声ファイルが保存されている。外付け差込メモリーのアダプタ１１によって使用者は外付けのメモリーを使用することもできる。そこには個人の録音、及び複数個の多コードユニット３が設定した編集コードが代表する音声ファイルが保存される。上述二項の音声ファイルは、それぞれの音声ファイルが多コードユニット３の一編集コードによって代表される。この多コードユニット３テスト用のアダプタ１３は、多コードユニット３は音声ファイルコンテンツ及びテスト機能を試験再生する。試したい多コードユニット３をテスト用アダプタ１３に差し込む前に、マイクロプロセッサー制御ユニット１がこの時刻設定した多コードユニット３の設定編集コードを読み取る。挿入した時、テスト用のアダプタ１３上の多コードユニット３の設定編集コードだけを読み取る。このマイクロプロセッサー制御ユニット１は読取した編集コードに基づき、優先して外付けメモリー内から代表するこの編集コードの音声ファイルを探す。もし外付けメモリーにないか、探せなかった時、メモリー内からこの編集コードに代表される音声ファイルを探し、音声ユニット４から音声提示を再生する。確認ボタン１５は再生された後の確認及びシステムリセットを行う。
【０００８】
多段設定盤２は、時刻標示板２１、複数の槽２２、底シートＰＣＢ板２３及びマイクロプロセッサー制御ユニット１に連接する信号アダプタ２４を含む。そのうち各槽２２内には各々アダプタ２２１があり、それを多コードユニット３に差し込むもので、且つ底シートＰＣＢ板２３上に全て固定されている。この時刻標示板２１上には、一日のうちの各時間の目盛と装飾図がプリントされ、その周辺には等角度で平均して多数の槽２２が布設され、その各槽２２は一日それぞれ設定した時刻に対応し、多コードユニット３に差し込んで固定する。この底シートＰＣＢ板２３には必要な信号を制御、伝導する電子回路が設置され、更にその底部には多組の環状の信号選択ポート２３１及びパブリックポート２３２がある。各信号選択ポート２３１は各々等角度で平均的に分布し、且つ各槽２２に連接する。時計の針と連動した信号選択片５３が通過すると、パブリックポート２３２の触発信号を信号選択ポート２３１が読み取って選択された槽２２上の多コードユニット３に伝えられ、マイクロプロセッサー制御ユニット１によってその編集コードが読み取られる。この信号アダプタ２４には、一組のリード線２４１があり、マイクロプロセッサー制御ユニット１と連接し、信号を伝える。
【０００９】
多コードユニット３には、固定装置３１、信号アダプタ３２、指撥スイッチ３３、表示板３４、データ一時保存緩衝区、指示灯３５及びそれを構成する電子回路と部品を含む。この固定装置３１は、多コードユニット３を多段設定盤２の槽２２上に固定し、信号アダプタ３２と槽２２上のアダプタ２２１を密接に連接する。指撥スイッチ３３は、異なる目的に基づいて異なる編集コードを設定する。図２に示すとおり、標示板３４は、多コードユニット３の上方に設置され、編集コードを設定する目的である文字、符号もしくは画像を表示する。データ一時保存緩衝区は槽２２で設定した編集コードを一時保存して読取待機し、その信号インターフェイスは浮動(Floating)信号とする。指示灯３５は多コードユニット３上方に設置し、「設定中」の指示灯を付けたり、「未確認」の点滅灯を付けたりする。
【００１０】
音声ユニット４（図１参照）は、拡声器４１及び外付け拡声器のアダプタ４２を含み、合成した音声を信号として表示し、リード線４３を経てマイクロプロセッサー制御ユニット１の信号アダプタ１３４から拡声器４１へ出力して再生する。外付け拡声器のアダプタ４２は、使用者によって音声を信号外付けしてより良い音響効果上に表示する。
【００１１】
時間標示ユニット５は、時計本体５１、時間指示針５２及び時計の針と連動する信号選択片５３を含む。時計本体５１及び時間指示針５２は、従来の時計と同じである。図３に示すとおり、信号選択片５３は固定ネジ５３１によって連動桿５３２を時計の針の回転軸上に固定し、信号選択片５３の接触点と時計の針が同一時刻を指示するようにする。信号選択片５３の両接触片は常に時計の針と共に回転し、その時の時間の信号選択ポート２３１とパブリックポート２３２をその時間に連接してマイクロプロセッサー制御ユニット１に提供し、多コードユニット３上の編集コードを読み取る。更に信号選択ポート２３１と連接した接触片の厚み（ｔ）５３３は、両信号選択ポートの最小間隔（ｗ）５３４に安全距離（e）を加えたものより小さくなければならず（即ちｔ＜ｗ＋e）、それによって埃、屑の進入を防止し、両信号選択ポートを一度に連接できる。
【００１２】
電源供給ユニット６は、電池直流電源もしくは整流の交流電源、電源入力プラグ６１を含む。ここに提供される電力は、リード線６２を経てマイクロプロセッサー制御ユニット１に伝わり、リード線６３によって時計本体５１へ伝わる。
【００１３】
上透明カバー７は、時間指示針５２の正常な運転及び現在の時間を可視できるよう保護する。
【００１４】
底台８は複数個の外付け機能、放熱機能を提供するための開口が設置され、装置全体を固定、保護する。
【００１５】
動作の説明は下述のとおりである。使用者は先ず電源をつけ、続いて一日の各時間異なる行動目的に基づき、多コードユニット３の指撥スイッチ３３で異なる目的の編集コードを設定する。例として[＃００１：お祈り]、[＃００２：起床]、[＃００３：食事]、[＃００４：読書]、[＃００５：休息]、[＃００６：就寝]、[＃００７：登校]、[＃００８：書きもの]、[＃００９：お風呂]、．．．[＃０１７ミルクを作る]、．．．[＃１２７：．．．]等異なる編集コードを付ける。同じ行動目的の時には同じ編集コードをつけ、目的が標示板３４上に表示された時、便利である。図４に示すとおり、例として[＃０１７：ミルクを作る]には「Ｍ」の表示を貼る。設定した多コードユニット３を一日の行動に基づき、多段盤２に設定したい時刻の槽２２に固定する。この時、多コードユニット３上の指示灯３５が光り、「設定中」と表示される。例として７時の槽２２に[＃００１お祈り]９０の多コードユニット３を挿入して設定する。５時の槽２２には[＃００２：起床]９１の多コードユニット３を挿入設定する。７時半、１２時、１９時の槽２２にはそれぞれ[＃００３：食事]９２の多コードユニットを挿入設定する。１３時、２１時の槽２２には、それぞれ[＃００６：就寝]９３の多コードユニット３を挿入設定する。１時、４時の槽２２にはそれぞれ[＃０１７：ミルクを作る]９４の多コードユニット３を挿入設定し、合わせて９個の設定をする。設定した時刻になると、マイクロプロセッサー制御ユニット１時計の針と連動した信号選択片５３が作動し、パブリックポート２３２の触発信号を信号選択ポート２３１が選び出し、選択された槽２２の多コードユニット３に伝え、マイクロプロセッサー制御ユニット１がその上の設定編集コードを読み取る。以上の設定によって、朝４時になると、編集コード：１７を読み取り、マイクロプロセッサー制御ユニット１は外付けメモリー内を優先してこの編集コードの音声ファイルを探す。例として、ＯＳ＿０１７ｘｘｘが外付けメモリー内にない場合、本体のメモリー内からこの編集コードの音声ファイル、例としてＩＳ＿０１７．ｘｘｘを探し、音声ユニット４が音声表示を再生する。このように設定しておくと、朝４時になると、内接メモリー内の音声ファイル（ＩＳ＿０１７．ｘｘｘ）の音声表示、「偉大なるお母さん、お父さん、赤ちゃんがお腹を空かせていますよ」と音声を再生して知らせる。その他の設定時刻の時には、その目的の音声表示を再生し、使用者が確認ボタン１５を押すと、その再生は停止する。もし、数分間たっても確認ボタン１５が押されない場合、指示灯３５が点滅し、「未確認」と表示して再生を停止する。このように使用者の時間管理をサポートする。
【００１６】
他に、三つの使用例を示す。一、この時計は子供や学生の学習時間管理をサポートする。例として「読書」、「休息」、「国語」、「数学」．．．等関連音声を提示し、子供の時間管理能力を助ける。二、一人で生活する年配者の生活行動を示す。例として、「食事」、「電話連絡」、「将棋」、「人と会う」、「薬を飲む」等。三、本考案の時計に自動ダイヤルシステムを設置すると、何回かの「未確認」が出ると、外付けメモリー内の電話番号に繋いで、「様子を見に行ってください」等の音声電話により、家族や近所に通知される。
【図面の簡単な説明】
【００１７】
【図１】本考案の組立ユニット平面図である。
【図２】本考案の多コードユニットの俯瞰平面図である。
【図３】本考案の底シートＰＣＢ板底部の信号選択平面図である。
【図４】本考案の設定使用平面図である。
【符号の説明】
【００１８】
１        マイクロプロセッサー制御ユニット
１１        外付け差込メモリーのアダプタ
１２        多段設定盤のアダプタ
１３        多コードユニットテスト用のアダプタ
１３４        信号アダプタ
１４        音声ユニット連接のアダプタ
１５        確認ボタン
２        多段設定盤
２１        時刻標示板
２２        槽
２２１        アダプタ
２３        底シートＰＣＢ板
２３１        信号選択ポート
２３２        パブリックポート
２４        信号アダプタ
２４１        リード線
３        多コードユニット
３１        固定装置
３２        信号アダプタ
３３        指撥スイッチ
３４        標示板
３５        指示灯
４        音声ユニット
４１        拡声器
４２        外付け拡声器のアダプタ
４３        リード線
５        時間指標ユニット
５１        時計本体
５２        時間指標針
５３        信号選択片
５３１        固定ネジ
５３２        連桿
５３３        厚み
５３４        最小間隔
６        電源供給ユニット
６１        電源入力プラグ
６２        リード線
６３        リード線
７        上透明カバー
８        底台
９０        [＃００１お祈り]
９１        [＃００２：起床]
９２        [＃００３：食事]
９３        [＃００６：就寝]
９４        [＃０１７：ミルクを作る]
【図１】
0003115448.tif 000003
【図２】
0003115448.tif 000004
【図３】
0003115448.tif 000005
【図４】
0003115448.tif 000006